(57)【特許請求の範囲】
【請求項１】
ＴＤＤ（Ｔｉｍｅ  Ｄｉｖｉｓｉｏｎ  Ｄｕｐｌｅｘ）通信システムにおいて基地局（ＢＳ）がサウンディング参照信号（Sounding Reference Signal:ＳＲＳ）を受信する方法であって、
無線リソース制御（ＲＲＣ）層シグナリングを介して複数の上りリンク／下りリンク設定の中から第１の上りリンク／下りリンク設定を端末（ＵＥ）へ送信するステップと、
前記複数の上りリンク／下りリンク設定の中から第２の上りリンク／下りリンク設定を物理層シグナリングを介して前記端末へ送信するステップと、
前記端末から前記第２の上りリンク／下りリンク設定に基づいて前記ＳＲＳを受信するステップと、を含み、
前記第２の上りリンク／下りリンク設定が前記端末により検出されない場合、前記端末は前記第１の上りリンク／下りリンク設定により示されたサブフレームで前記ＳＲＳを送信しない、方法。
【請求項２】
ランダムアクセス応答（ＲＡＲ）メッセージがサブフレームで送信される場合、前記サブフレームの後の前記ＲＡＲメッセージに対応する上りリンク共有チャネル（ＵＬ−ＳＣＨ）に関連する物理上りリンク共有チャネル（ＰＵＳＣＨ）受信のために最初に利用可能な上りリンクサブフレームは前記第１の上りリンク／下りリンク設定に基づいて決定される、請求項１に記載の方法。
【請求項３】
ＴＤＤ（Ｔｉｍｅ  Ｄｉｖｉｓｉｏｎ  Ｄｕｐｌｅｘ）通信システムにおける基地局（ＢＳ）であって、
端末（ＵＥ）からサウンディング参照信号（Sounding Reference Signal:ＳＲＳ）を受信するように構成された無線通信モジュールと、
前記ＳＲＳを処理するように構成されたプロセッサと、
を備え、
前記プロセッサは、前記無線通信モジュールが、無線リソース制御（ＲＲＣ）層シグナリングを介して複数の上りリンク／下りリンク設定の中の第１の上りリンク／下りリンク設定を端末（ＵＥ）へ送信し、前記複数の上りリンク／下りリンク設定の中の第２の上りリンク／下りリンク設定を物理層シグナリングを介して前記端末へ送信し、前記第１の上りリンク／下りリンク設定又は前記第２の上りリンク／下りリンク設定に基づいて前記ＳＲＳを前記端末から受信するように制御し、
前記第２の上りリンク／下りリンク設定が前記端末により検出されない場合、前記端末は、前記第１の上りリンク／下りリンク設定により示されるサブフレームで前記ＳＲＳを送信しない、基地局。
【請求項４】
ランダムアクセス応答（ＲＡＲ）メッセージがサブフレームで送信された場合、前記プロセッサは、前記第１の上りリンク／下りリンク設定に基づく前記サブフレームの後に前記ＲＡＲメッセージに対応する上りリンク共有チャネル（ＵＬ−ＳＣＨ）に関連する物理上りリンク共有チャネル（ＰＵＳＣＨ）受信のために最初に利用可能な上りリンクサブフレームを決定する、請求項３に記載の基地局。
【発明の詳細な説明】
【技術分野】
【０００１】
本発明は、無線通信システムに関し、特に、無線通信システムにおいて無線リソース動的変更に基づく信号送受信方法及びそのための装置に関する。
【背景技術】
【０００２】
本発明を適用できる無線通信システムの一例として、３ＧＰＰ ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ：以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ ７及びＲｅｌｅａｓｅ ８を参照することができる。
【０００４】
図１を参照すると、Ｅ−ＵＭＴＳは、端末（Ｕｓｅｒ  Ｅｑｕｉｐｍｅｎｔ：ＵＥ）、基地局（ｅＮｏｄｅＢ：ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ：ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５、２．５、５、１０、１５、２０ＭＨｚなどの帯域幅のいずれか一つに設定され、複数の端末に下り又は上り送信サービスを提供する。異なったセルは、互いに異なった帯域幅を提供するように設定できる。基地局は、複数の端末に関するデータ送受信を制御する。下りリンク（Ｄｏｗｎｌｉｎｋ：ＤＬ）データについて、基地局は下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ：ＵＬ）データについて、基地局は上りリンクスケジューリング情報を該当の端末に送信し、該当の端末が使用可能な時間／周波数領域、符号化、データサイズ、ＨＡＲＱ関連情報などを知らせる。基地局間には、ユーザトラフィック又は制御トラフィックの送信のためのインターフェースを用いることができる。コアネットワーク（Ｃｏｒｅ  Ｎｅｔｗｏｒｋ：ＣＮ）は、ＡＧ、及び端末のユーザ登録などのためのネットワークノードなどで構成可能である。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥにまで開発されてきたが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度な電力消耗などが要求される。
【発明の概要】
【発明が解決しようとする課題】
【０００７】
上述したような議論に基づき、以下では、無線通信システムにおいて無線リソース動的変更に基づく信号送受信方法及びそのための装置を提案する。
【課題を解決するための手段】
【０００８】
本発明の一態様であるＴＤＤ（Ｔｉｍｅ  Ｄｉｖｉｓｉｏｎ  Ｄｕｐｌｅｘ）通信システムにおいて端末が基地局と信号を送受信する方法は、システム情報を用いて基準サブフレーム設定情報を受信し、動的シグナリングを用いて動作サブフレーム設定情報を受信するステップと、前記動作サブフレーム設定情報で定義する下りリンクサブフレームに上りリンク信号の送信のための上りリンクグラントを受信するステップと、前記上りリンクグラントで指示する前記上りリンク信号の送信のための特定上りリンクサブフレームの有効性を判断するステップと、前記特定上りリンクサブフレームが有効である場合、前記上りリンク信号を前記基地局に送信するステップとを有することを特徴とする。
【０００９】
好適には、前記特定上りリンクサブフレームの有効性は、前記基準サブフレーム設定情報、前記動作サブフレーム設定情報及び下りリンクＨＡＲＱ（Ｈｙｂｒｉｄ  Ａｕｔｏｍａｔｉｃ  Ｒｅｐｅａｔ  ａｎｄ  ｒｅＱｕｅｓｔ）のためのサブフレーム設定情報のうちの所定の動作サブフレーム設定情報に基づいて判断することを特徴とする。ここで、前記下りリンクＨＡＲＱのためのサブフレーム設定情報は、前記基地局から受信したＰＤＳＣＨ（Ｐｈｙｓｉｃａｌ  Ｄｏｗｎｌｉｎｋ  Ｃｏｎｔｒｏｌ  Ｃｈａｎｎｅｌ）に対するＨＡＲＱ ＡＣＫ／ＮＡＣＫ（Ａｃｋｎｏｗｌｅｄｇｅｍｅｎｔ／Ｎｅｇａｔｉｖｅ−ＡＣＫ）送信時点を定義するサブフレーム設定情報であることを特徴とする。
【００１０】
より好適には、前記特定上りリンクサブフレームの有効性を判断するステップは、前記特定上りリンクサブフレームが前記所定の動作サブフレーム設定情報で下りリンクサブフレームと定義される場合、前記特定上りリンクサブフレームを無効なものと判断することを特徴とする。特に、前記方法は、前記特定上りリンクサブフレームを無効とした場合、前記上りリンクグラントを受信誤りとして処理するステップをさらに有することができる。また、前記特定上りリンクサブフレームを無効とした場合、前記上りリンクグラントでスケジュールする前記上りリンク信号は送信しないことを特徴とする。
【００１１】
一方、本発明の他の態様である、ＴＤＤ通信システムにおける端末装置は、基地局と信号を送受信するための無線通信モジュールと、前記信号を処理するためのプロセッサとを備え、前記プロセッサは、システム情報を用いて基準サブフレーム設定情報を受信し、動的シグナリングを用いて動作サブフレーム設定情報を受信し、前記動作サブフレーム設定情報で定義する下りリンクサブフレームに上りリンク信号の送信のための上りリンクグラントを受信し、前記上りリンクグラントで指示する前記上りリンク信号の送信のための特定上りリンクサブフレームの有効性を判断し、前記特定上りリンクサブフレームが有効である場合、前記上りリンク信号を前記基地局に送信するように前記無線通信モジュールを制御することを特徴とする。
【００１２】
好適には、前記プロセッサが、前記基準サブフレーム設定情報、前記動作サブフレーム設定情報及び下りリンクＨＡＲＱのためのサブフレーム設定情報のうちの所定の動作サブフレーム設定情報に基づいて、前記特定上りリンクサブフレームの有効性を判断することを特徴とする。同様に、前記下りリンクＨＡＲＱのためのサブフレーム設定情報は、前記基地局から受信したＰＤＳＣＨ（Ｐｈｙｓｉｃａｌ  Ｄｏｗｎｌｉｎｋ  Ｃｏｎｔｒｏｌ  Ｃｈａｎｎｅｌ）に対するＨＡＲＱ ＡＣＫ／ＮＡＣＫ（Ａｃｋｎｏｗｌｅｄｇｅｍｅｎｔ／Ｎｅｇａｔｉｖｅ−ＡＣＫ）送信時点を定義するサブフレーム設定情報であることを特徴とする。
【００１３】
より好適には、前記プロセッサが、前記特定上りリンクサブフレームが前記所定の動作サブフレーム設定情報で下りリンクサブフレームと定義される場合、前記特定上りリンクサブフレームを無効なものと判断することができる。この場合、前記プロセッサは、前記特定上りリンクサブフレームを無効とした場合、前記上りリンクグラントを受信誤りとして処理し、前記上りリンクグラントでスケジュールする前記上りリンク信号は送信しないように前記無線通信モジュールを制御することを特徴とする。
【発明の効果】
【００１４】
本発明の実施例によれば、無線通信システムにおいて端末及び基地局が無線リソースを動的に変更しながら効率的に信号を送受信することができる。
【００１５】
本発明で得られる効果は、以上に言及した効果に制限されず、言及していない別の効果は、下の記載から、本発明の属する技術の分野における通常の知識を有する者には明確に理解されるであろう。
【図面の簡単な説明】
【００１６】
【図１】無線通信システムの一例としてＥ−ＵＭＴＳネットワーク構造を概略的に示す図である。
【図２】３ＧＰＰ無線接続ネットワーク規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）構造を示す図である。
【図３】３ＧＰＰシステムに用いられる物理チャネル及びこれらのチャネルを用いた一般的な信号送信方法を説明するための図である。
【図４】ＬＴＥシステムで用いられる下りリンク無線フレームの構造を例示する図である。
【図５】ＬＴＥシステムで用いられる上りリンクサブフレームの構造を示す図である。
【図６】ＬＴＥ ＴＤＤシステムで無線フレームの構造を例示する図である。
【図７】本発明の実施例によってランダムアクセス手順を行う一例を示す図である。
【図８】本発明の実施例によってランダムアクセス手順を行う他の例を示す図である。
【図９】本発明の実施例によって上りリンク送信を行う例を示す図である。
【図１０】本発明の実施例によってＵＥがサブフレーム用途の不一致を発見する例を示す図である。
【図１１】本発明の一実施例に係る通信装置のブロック構成図である。
【発明を実施するための形態】
【００１７】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００１８】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。また、本明細書ではＦＤＤ（Ｆｒｅｑｕｅｎｃｙ  Ｄｉｖｉｓｉｏｎ  Ｄｕｐｌｅｘ）方式に基づいて本発明の実施例について説明するが、これは例示である。従って、本発明の実施例は、Ｈ−ＦＤＤ（Ｈｙｂｒｉｄ−ＦＤＤ）方式又はＴＤＤ（Ｔｉｍｅ  Ｄｉｖｉｓｉｏｎ  Ｄｕｐｌｅｘ）方式にも容易に変形して適用することができる。
【００１９】
図２は、３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）のコントロールプレーン及びユーザプレーンの構造を示す図である。コントロールプレーンとは、端末（ＵＥ）とネットワークとが呼を管理するために用いる制御メッセージが送信される通路のことを意味する。ユーザプレーンとは、アプリケーション層で生成されたデータ、例えば、音声データ又はインターネットパケットデータなどが送信される通路のことを意味する。
【００２０】
第１層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位の媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。該伝送チャネルを介して媒体接続制御層と物理層との間にデータが移動する。送信側の物理層と受信側の物理層との間には物理チャネルを介してデータが移動する。該物理チャネルは、時間及び周波数を無線リソースとして活用する。具体的に、物理チャネルは、下りリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２１】
第２層の媒体接続制御（Ｍｅｄｉｕｍ  Ａｃｃｅｓｓ  Ｃｏｎｔｒｏｌ：ＭＡＣ）層は、論理チャネル（Ｌｏｇｉｃａｌ  Ｃｈａｎｎｅｌ）を介して、上位層である無線リンク制御（Ｒａｄｉｏ  Ｌｉｎｋ  Ｃｏｎｔｒｏｌ：ＲＬＣ）層にサービスを提供する。第２層のＲＬＣ層は、信頼できるデータ送信を支援する。ＲＬＣ層の機能は、ＭＡＣ内部の機能ブロックとして具現してもよい。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを效率的に送信するために、余分の制御情報を減らすヘッダー圧縮（Ｈｅａｄｅｒ  Ｃｏｍｐｒｅｓｓｉｏｎ）機能を持つ。
【００２２】
第３層の最下部に位置する無線リソース制御（Ｒａｄｉｏ  Ｒｅｓｏｕｒｃｅ  Ｃｏｎｔｒｏｌ：ＲＲＣ）層は、コントロールプレーンにのみ定義される。ＲＲＣ層は、無線ベアラー（Ｒａｄｉｏ  Ｂｅａｒｅｒ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関して、論理チャネル、伝送チャネル及び物理チャネルの制御を担当する。無線ベアラー（ＲＢ）とは、端末とネットワーク間のデータ伝達のために第２層によって提供されるサービスのことを意味する。そのために、端末のＲＲＣ層とネットワークのＲＲＣ層とはＲＲＣメッセージを互いに交換する。端末のＲＲＣ層とネットワークのＲＲＣ層間にＲＲＣ接続（ＲＲＣ  Ｃｏｎｎｅｃｔｅｄ）がある場合に、端末はＲＲＣ接続状態（Ｃｏｎｎｅｃｔｅｄ  Ｍｏｄｅ）にあり、そうでない場合は、ＲＲＣ休止状態（Ｉｄｌｅ  Ｍｏｄｅ）にある。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を持つ。
【００２３】
基地局（ｅＮＢ）を構成する一つのセルは、１．４、３、５、１０、１５、２０ＭＨｚなどの帯域幅のうちの一つに設定され、複数の端末に下り又は上り送信サービスを提供する。異なったセルは互いに異なった帯域幅を提供するように設定できる。
【００２４】
ネットワークから端末にデータを送信する下り伝送チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージは、下りＳＣＨを介して送信されてもよく、別の下りＭＣＨ（Ｍｕｌｔｉｃａｓｔ  Ｃｈａｎｎｅｌ）を通じて送信されてもよい。一方、端末からネットワークにデータを送信する上り伝送チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に存在し、伝送チャネルにマッピングされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２５】
図３は、３ＧＰＰシステムに用いられる物理チャネル及びこれらのチャネルを用いた一般の信号送信方法を説明するための図である。
【００２６】
端末は、電源がついたり、新しくセルに進入したりした場合に、基地局と同期を取る等の初期セル探索（Ｉｎｉｔｉａｌ  ｃｅｌｌ  ｓｅａｒｃｈ）作業を行う（Ｓ３０１）。そのために、端末は、基地局からプライマリ同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信して基地局と同期を取り、セルＩＤなどの情報を取得できる。その後、端末は、基地局から物理放送チャネル（Ｐｈｙｓｉｃａｌ  Ｂｒｏａｄｃａｓｔ  Ｃｈａｎｎｅｌ）を受信し、セル内放送情報を取得できる。一方、端末は、初期セル探索段階で、下りリンク参照信号（Ｄｏｗｎｌｉｎｋ  Ｒｅｆｅｒｅｎｃｅ  Ｓｉｇｎａｌ：ＤＬ ＲＳ）を受信し、下りリンクチャネル状態を確認できる。
【００２７】
初期セル探索を終えた端末は、物理下りリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）、及び該ＰＤＣＣＨに乗せられた情報に基づいて物理下りリンク共有チャネル（Ｐｈｙｓｉｃａｌ  Ｄｏｗｎｌｉｎｋ  Ｃｏｎｔｒｏｌ  Ｃｈａｎｎｅｌ：ＰＤＳＣＨ）を受信することによって、より具体的なシステム情報を取得できる（Ｓ３０２）。
【００２８】
一方、基地局に最初に接続したり信号送信のための無線リソースがない場合には、端末は、基地局にランダムアクセス手順（Ｒａｎｄｏｍ  Ａｃｃｅｓｓ  Ｐｒｏｃｅｄｕｒｅ：ＲＡＣＨ）を行うことができる（Ｓ３０３乃至Ｓ３０６）。そのために、端末は、物理ランダムアクセスチャネル（Ｐｈｙｓｉｃａｌ  Ｒａｎｄｏｍ  Ａｃｃｅｓｓ  Ｃｈａｎｎｅｌ：ＰＲＡＣＨ）を介して特定シーケンスをプリアンブルとして送信し（Ｓ３０３及びＳ３０５）、ＰＤＣＣＨ及び対応するＰＤＳＣＨを介して、プリアンブルに対する応答メッセージを受信することができる（Ｓ３０４及びＳ３０６）。競合ベースのＲＡＣＨについては、衝突解決手順（Ｃｏｎｔｅｎｔｉｏｎ  Ｒｅｓｏｌｕｔｉｏｎ  Ｐｒｏｃｅｄｕｒｅ）をさらに行うことができる。
【００２９】
上述の手順を行った端末は、その後、一般的な上りリンク／下りリンク信号送信手順として、ＰＤＣＣＨ／ＰＤＳＣＨ受信（Ｓ３０７）、及び物理上りリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ：ＰＵＣＣＨ）送信（Ｓ３０８）を行うことができる。特に、端末は、ＰＤＣＣＨを介して下りリンク制御情報（Ｄｏｗｎｌｉｎｋ  Ｃｏｎｔｒｏｌ  Ｉｎｆｏｒｍａｔｉｏｎ：ＤＣＩ）を受信する。ここで、ＤＣＩは、端末に対するリソース割当情報のような制御情報を含み、その使用目的によってフォーマットが異なる。
【００３０】
一方、端末が上りリンクで基地局に送信する又は端末が基地局から受信する制御情報としては、下りリンク／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムにおいて、端末は、これらのＣＱＩ／ＰＭＩ／ＲＩなどの制御情報をＰＵＳＣＨ及び／又はＰＵＣＣＨを介して送信することができる。
【００３１】
図４は、下りリンク無線フレームにおいて一つのサブフレームの制御領域に含まれる制御チャネルを例示する図である。
【００３２】
図４を参照すると、サブフレームは１４個のＯＦＤＭシンボルで構成されている。サブフレーム設定によって先頭の１乃至３個のＯＦＤＭシンボルは制御領域として用いられ、残り１３〜１１個のＯＦＤＭシンボルはデータ領域として用いられる。同図で、Ｒ１乃至Ｒ４は、アンテナ０乃至３に対する参照信号（Ｒｅｆｅｒｅｎｃｅ  Ｓｉｇｎａｌ（ＲＳ）又はＰｉｌｏｔ  Ｓｉｇｎａｌ）を表す。ＲＳは、制御領域及びデータ領域を問わず、サブフレーム内に一定のパターンで固定される。制御チャネルは、制御領域においてＲＳの割り当てられていないリソースに割り当てられ、トラフィックチャネルもデータ領域においてＲＳの割り当てられていないリソースに割り当てられる。制御領域に割り当てられる制御チャネルには、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などがある。
【００３３】
ＰＣＦＩＣＨは物理制御フォーマット指示子チャネルであり、毎サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは４個のＲＥＧ（Ｒｅｓｏｕｒｃｅ  Ｅｌｅｍｅｎｔ  Ｇｒｏｕｐ）で構成され、それぞれのＲＥＧはセルＩＤ（Ｃｅｌｌ  ＩＤｅｎｔｉｔｙ）に基づいて制御領域内に分散される。一つのＲＥＧは４個のＲＥ（Ｒｅｓｏｕｒｃｅ  Ｅｌｅｍｅｎｔ）で構成される。ＲＥは、１副搬送波×１ ＯＦＤＭシンボルと定義される最小物理リソースを表す。ＰＣＦＩＣＨ値は、帯域幅によって１〜３又は２〜４の値を示し、ＱＰＳＫ（Ｑｕａｄｒａｔｕｒｅ  Ｐｈａｓｅ  Ｓｈｉｆｔ  Ｋｅｙｉｎｇ）で変調される。
【００３４】
ＰＨＩＣＨは、物理ＨＡＲＱ（Ｈｙｂｒｉｄ−Ａｕｔｏｍａｔｉｃ  Ｒｅｐｅａｔ  ａｎｄ  ｒｅｑｕｅｓｔ）指示子チャネルであり、上りリンク送信に対するＨＡＲＱ ＡＣＫ／ＮＡＣＫを運ぶために用いられる。すなわち、ＰＨＩＣＨは、上りリンクＨＡＲＱのためのＤＬ ＡＣＫ／ＮＡＣＫ情報が送信されるチャネルを表す。ＰＨＩＣＨは、１個のＲＥＧで構成され、セル特定（ｃｅｌｌ−ｓｐｅｃｉｆｉｃ）にスクランブル（ｓｃｒａｍｂｌｉｎｇ）される。ＡＣＫ／ＮＡＣＫは１ビットで示され、ＢＰＳＫ（Ｂｉｎａｒｙ  ｐｈａｓｅ  ｓｈｉｆｔ  ｋｅｙｉｎｇ）で変調される。変調されたＡＣＫ／ＮＡＣＫは拡散因子（Ｓｐｒｅａｄｉｎｇ  Ｆａｃｔｏｒ：ＳＦ）＝２又は４で拡散される。同一のリソースにマップされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は周波数領域及び／又は時間領域においてダイバーシティ利得を得るために３回反復（ｒｅｐｅｔｉｔｉｏｎ）される。
【００３５】
ＰＤＣＣＨは物理下りリンク制御チャネルであり、サブフレームにおける先頭のｎ個のＯＦＤＭシンボルに割り当てられる。ここで、ｎは１以上の整数であり、ＰＣＦＩＣＨによって示される。ＰＤＣＣＨは一つ以上のＣＣＥ（Ｃｏｎｔｒｏｌ  Ｃｈａｎｎｅｌ  Ｅｌｅｍｅｎｔ）で構成される。ＰＤＣＣＨは、伝送チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割当に関する情報、上りリンクスケジューリンググラント（Ｕｐｌｉｎｋ  Ｓｃｈｅｄｕｌｉｎｇ  Ｇｒａｎｔ）、ＨＡＲＱ情報などを各端末又は端末グループに知らせる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）はＰＤＳＣＨを介して送信される。したがって、基地局と端末は、一般に、特定の制御情報又は特定のサービスデータ以外は、ＰＤＳＣＨを介してデータをそれぞれ送信及び受信する。
【００３６】
ＰＤＳＣＨのデータがいずれの端末（１つ又は複数の端末）に送信されるものか、これら端末がどのようにＰＤＳＣＨデータを受信してデコードしなければならないかに関する情報などは、ＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスクされており、「Ｂ」という無線リソース（例、周波数位置）及び「Ｃ」という伝送形式情報（例、伝送ブロックサイズ、変調方式、コーディング情報など）を用いて送信されるデータに関する情報が、特定サブフレームで送信されると仮定する。この場合、セル内の端末は、自身が持っているＲＮＴＩ情報を用いてＰＤＣＣＨをモニタリングし、「Ａ」のＲＮＴＩを持っている一つ以上の端末があると、これらの端末はＰＤＣＣＨを受信し、受信したＰＤＣＣＨの情報に基づいて「Ｂ」と「Ｃ」によって指示されるＰＤＳＣＨを受信する。
【００３７】
図５は、ＬＴＥシステムで用いられる上りリンクサブフレームの構造を示す図である。
【００３８】
図５を参照すると、上りリンクサブフレームは、制御情報を運ぶＰＵＣＣＨ（Ｐｈｙｓｉｃａｌ  Ｕｐｌｉｎｋ  Ｃｏｎｔｒｏｌ  ＣＨａｎｎｅｌ）が割り当てられる領域と、ユーザデータを運ぶＰＵＳＣＨ（Ｐｈｙｓｉｃａｌ  Ｕｐｌｉｎｋ  Ｓｈａｒｅｄ  ＣＨａｎｎｅｌ）が割り当てられる領域とに区別される。周波数領域で中間部分がＰＵＳＣＨに割り当てられ、周波数領域でデータ領域の両側部分がＰＵＣＣＨに割り当てられる。ＰＵＣＣＨ上で送信される制御情報には、ＨＡＲＱに用いられるＡＣＫ／ＮＡＣＫ、下りリンクチャネル状態を示すＣＱＩ（Ｃｈａｎｎｅｌ  Ｑｕａｌｉｔｙ  Ｉｎｄｉｃａｔｏｒ）、ＭＩＭＯのためのＲＩ（Ｒａｎｋ  Ｉｎｄｉｃａｔｏｒ）、上りリンクリソース割り当て要求であるＳＲ（Ｓｃｈｅｄｕｌｉｎｇ  Ｒｅｑｕｅｓｔ）などがある。一つの端末に対するＰＵＣＣＨは、サブフレームにおける各スロットで互いに異なる周波数を占める一つのリソースブロックを使用する。すなわち、ＰＵＣＣＨに割り当てられる２個のリソースブロックは、スロット境界で周波数ホッピング（ｆｒｅｑｕｅｎｃｙ  ｈｏｐｐｉｎｇ）する。特に、図５は、ｍ＝０のＰＵＣＣＨ、ｍ＝１のＰＵＣＣＨ，ｍ＝２のＰＵＣＣＨ、ｍ＝３のＰＵＣＣＨがサブフレームに割り当てられる場合を例示する。
【００３９】
図６は、ＬＴＥ ＴＤＤシステムにおいて無線フレームの構造を示す図である。ＬＴＥ ＴＤＤシステムで、無線フレームは２個のハーフフレーム（ｈａｌｆ  ｆｒａｍｅ）で構成され、各ハーフフレームは、２個のスロットを含む４個の一般サブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ、ＧＰ）及びＵｐＰＴＳ（Ｕｐｌｉｎｋ  Ｐｉｌｏｔ  Ｔｉｍｅ  Ｓｌｏｔ）を含む特別サブフレーム（ｓｐｅｃｉａｌ  ｓｕｂｆｒａｍｅ）とで構成される。
【００４０】
特別サブフレームにおいて、ＤｗＰＴＳは、端末での初期セル探索、同期化又はチャネル推定に用いられる。ＵｐＰＴＳは、基地局でのチャネル推定と端末の上りリンク送信同期の獲得に用いられる。すなわち、ＤｗＰＴＳは、下りリンク送信に、ＵｐＰＴＳは上りリンク送信に用いられ、特に、ＵｐＰＴＳは、ＰＲＡＣＨプリアンブルやＳＲＳ送信の用途に用いられる。また、保護区間は、上りリンクと下りリンク間に下りリンク信号の多重経路遅延によって上りリンクで生じる干渉を除去するための区間である。
【００４１】
一方、ＬＴＥ ＴＤＤシステムにおいて上りリンク／下りリンクサブフレーム設定（ＵＬ／ＤＬ  ｃｏｎｆｉｇｕｒａｔｉｏｎ）は、下記の表１のとおりである。
【００４２】
【表１】
0006377710.tif 000002
【００４３】
上記の表１で、Ｄは下りリンクサブフレーム、Ｕは上りリンクサブフレームを表し、Ｓは特別サブフレームを表す。また、上記の表１は、それぞれのシステムにおいて、上りリンク／下りリンクサブフレーム設定における下りリンク−上りリンクスイッチング周期（Ｄｏｗｎｌｉｎｋ−ｔｏ−Ｕｐｌｉｎｋ  Ｓｗｉｔｃｈ−ｐｏｉｎｔ  ｐｅｒｉｏｄｉｃｉｔｙ）も示している。
【００４４】
表２乃至表４は、表１の上りリンク／下りリンクサブフレーム設定上のＨＡＲＱタイムラインを示すものである。表２には、特定上りリンクサブフレームで送信するＨＡＲＱ−ＡＣＫに対応するＰＤＳＣＨの送信サブフレームインデックス集合を示す。例えば、上りリンク／下りリンクサブフレーム設定＃１の場合、サブフレーム＃５及びサブフレーム＃６で受信したＰＤＳＣＨに対するＨＡＲＱ−ＡＣＫを、サブフレーム＃２で送信する。
【００４５】
【表２】
0006377710.tif 000003
【００４６】
次に、表３は、特定上りリンクサブフレームで送信されるＰＵＳＣＨをスケジュールする上りリンクグラントの送信サブフレームインデックスを示すものである。例えば、上りリンク／下りリンクサブフレーム設定＃１の場合、サブフレーム＃２で送信されるＰＵＳＣＨは、サブフレーム＃６で送信される上りリンクグラントによってスケジュールされる。特に、表３の上りリンク／下りリンクサブフレーム設定＃０は、下りリンクサブフレームの個数が上りリンクサブフレームの個数よりも少ない特殊な場合であり、１つの下りリンクサブフレームで２つの上りリンクサブフレームのＰＵＳＣＨをスケジュールすることができ、どのサブフレームのＰＵＳＣＨかを、ＤＣＩ（Ｄｏｗｎｌｉｎｋ  Ｃｏｎｔｒｏｌ  Ｉｎｆｏｒｍａｔｉｏｎ）上の上りリンクインデックスフィールド（ＵＬ  ｉｎｄｅｘ  ｆｉｅｌｄ）を用いて示す。すなわち、上りリンクインデックスの指示子によって、表３の、括弧中のインデックスが用いられるか、括弧なしインデックスが用いられるか、或いは両インデックスを用いて２つのサブフレームでのＰＵＳＣＨをスケジュールするかが決定される。
【００４７】
【表３】
0006377710.tif 000004
【００４８】
最後に、表４は、特定上りリンクサブフレームでＰＵＳＣＨが送信されたとき、これに対するＰＨＩＣＨが送信されるサブフレームのインデックスを示すものである。例えば、上りリンク／下りリンクサブフレーム設定＃１の場合、サブフレーム＃２で送信されたＰＵＳＣＨに対するＰＨＩＣＨはサブフレーム＃６で受信される。
【００４９】
【表４】
0006377710.tif 000005
【００５０】
以下では、搬送波集成（ｃａｒｒｉｅｒ  ａｇｇｒｅｇａｔｉｏｎ）技法に関して説明する。
【００５１】
搬送波集成は、無線通信システムがより広い周波数帯域を使用するために、端末が上りリンクリソース（又は、コンポーネント搬送波）及び／又は下りリンクリソース（又は、コンポーネント搬送波）で構成された周波数ブロック又は（論理的意味の）セルを複数個用いて一つの大きな論理周波数帯域として使用する方法を意味する。以下では、説明の便宜のために、コンポーネント搬送波という用語に統一するものとする。
【００５２】
全体システム帯域（Ｓｙｓｔｅｍ  Ｂａｎｄｗｉｄｔｈ：Ｓｙｓｔｅｍ  ＢＷ）は論理帯域であって、最大１００ＭＨｚの帯域幅を有する。全体システム帯域は、５個のコンポーネント搬送波を含み、それぞれのコンポーネント搬送波は最大２０ＭＨｚの帯域幅を有する。コンポーネント搬送波は、物理的に連続した一つ以上の連続した副搬送波を含む。それぞれのコンポーネント搬送波がいずれも同一の帯域幅を有してもよく、又は、これは例示に過ぎず、それぞれのコンポーネント搬送波は、互いに異なる帯域幅を有してもよい。また、それぞれのコンポーネント搬送波は周波数領域で互いに隣接していてもよいが、それぞれのコンポーネント搬送波は物理的に互いに隣接していてもよく、離れていてもよい。
【００５３】
また、中心搬送波（Ｃｅｎｔｅｒ  ｆｒｅｑｕｅｎｃｙ）は、それぞれのコンポーネント搬送波に対して個別に使用してもよく、物理的に隣接したコンポーネント搬送波に対して共通した一つの中心搬送波を使用してもよい。例えば、全てのコンポーネント搬送波が物理的に隣接していると仮定すれば、中心搬送波Ａを使用することができる。また、それぞれのコンポーネント搬送波が物理的に隣接していない場合を仮定すれば、各コンポーネント搬送波に対してそれぞれ中心搬送波Ａ、中心搬送波Ｂなどを使用することができる。
【００５４】
本明細書で、コンポーネント搬送波は、レガシーシステムのシステム帯域に該当するものとすることができる。コンポーネント搬送波をレガシーシステムを基準に定義することによって、進化した端末とレガシー端末とが共存する無線通信環境で逆支援性（ｂａｃｋｗａｒｄ  ｃｏｍｐａｔｉｂｉｌｉｔｙ）の提供及びシステム設計を容易にすることができる。一例として、ＬＴＥ−Ａシステムが搬送波集成を支援する場合に、それぞれのコンポーネント搬送波はＬＴＥシステムのシステム帯域に該当するものとすることができる。この場合、コンポーネント搬送波は、１．２５、２．５、５、１０又は２０ＭＨｚ帯域幅のいずれかを有することができる。
【００５５】
搬送波集成によって全体システム帯域を拡張した場合に、各端末との通信に使われる周波数帯域はコンポーネント搬送波単位に定義される。端末Ａは、全体システム帯域である１００ＭＨｚを使用することができ、５個のコンポーネント搬送波を全て使用して通信を行う。端末Ｂ1〜Ｂ5は、２０ＭＨｚ帯域幅のみを使用することができ、１個のコンポーネント搬送波を使用して通信を行う。端末Ｃ1及びＣ2は、４０ＭＨｚ帯域幅を使用することができ、それぞれ２個のコンポーネント搬送波を使用して通信を行う。ここで、２個のコンポーネント搬送波は論理／物理的に隣接していてもよく、隣接していなくてもよい。端末Ｃ1は、隣接していない２個のコンポーネント搬送波を使用する場合を表し、端末Ｃ2は、隣接している２個のコンポーネント搬送波を使用する場合を表す。
【００５６】
ＬＴＥシステムの場合、１個の下りリンクコンポーネント搬送波と１個の上りリンクコンポーネント搬送波を使用するのに対し、ＬＴＥ−Ａシステムでは、複数のコンポーネント搬送波を使用してもよい。このとき、制御チャネルがデータチャネルをスケジューリングする方式は、既存のリンク搬送波スケジューリング（Ｌｉｎｋｅｄ  ｃａｒｒｉｅｒ  ｓｃｈｅｄｕｌｉｎｇ）方式と交差搬送波スケジューリング（Ｃｒｏｓｓ  ｃａｒｒｉｅｒ  ｓｃｈｅｄｕｌｉｎｇ）方式とに分類することができる。
【００５７】
より具体的には、リンク搬送波スケジューリングは、単一コンポーネント搬送波を用いる既存のＬＴＥシステムのように、特定コンポーネント搬送波で送信される制御チャネルは、該特定コンポーネント搬送波を用いてデータチャネルのみをスケジュールする。
【００５８】
一方、交差搬送波スケジューリングは、搬送波指示子フィールド（Ｃａｒｒｉｅｒ  Ｉｎｄｉｃａｔｏｒ  Ｆｉｅｌｄ：ＣＩＦ）を用いてプライマリコンポーネント搬送波（Ｐｒｉｍａｒｙ  ＣＣ）で送信される制御チャネルが、該プライマリコンポーネント搬送波で送信される或いは他のコンポーネント搬送波で送信されるデータチャネルをスケジュールする。
【００５９】
本発明では、ｅＮＢが、全体として利用可能なリソースを、ｅＮＢがＵＥに信号を送信するために用いる下りリンクリソースと、ＵＥがｅＮＢに信号を送信するために用いる上りリンクリソースとに分割してデュプレックス（ｄｕｐｌｅｘ）動作を行う場合、各リソースの用途を下りリンクリソース又は上りリンクリソースのいずれかとして選択する動作を動的に行うとき、リソース用途を効果的に決定する方法を提案する。このような動的リソース用途変換は、下りリンクトラフィックと上りリンクトラフィックの大きさが動的に変化する状況で毎時点に最適のリソース分配を行うことができるという長所がある。
【００６０】
まず、ＦＤＤシステムは周波数帯域を下りリンクバンドと上りリンクバンドとに分割して運営するので、動的リソース用途変換のために、ｅＮＢは、ＲＲＣ層シグナリング、ＭＡＣ層シグナリング、或いは物理層シグナリングを用いて特定時点で特定バンドが下りリンクリソースか上りリンクリソースかを指定することができる。
【００６１】
一方、ＴＤＤシステムは、全体サブフレームを上りリンクサブフレームと下りリンクサブフレームとに分割し、それぞれ、ＵＥの上りリンク送信とｅＮＢの下りリンク送信に用いる。このような上りリンク／下りリンクサブフレーム設定は、一般に、システム情報の一部としてＵＥに知らせられ、３ＧＰＰ ＬＴＥシステムでは、表１に表された上りリンク／下りリンクサブフレーム設定を提供する。勿論、表１に表された上りリンク／下りリンクサブフレーム設定の他、新しい上りリンク／下りリンクサブフレーム設定がさらに提供されてもよい。ＴＤＤシステムにおいても、動的リソース用途変換のために、ｅＮＢは、ＲＲＣ層シグナリング、ＭＡＣ層シグナリング、或いは物理層シグナリングを用いて特定時点で特定サブフレームが下りリンクリソースか上りリンクリソースかを指定することができる。
【００６２】
上述したとおり、既存のＬＴＥシステムでは、下りリンクリソースと上りリンクリソースがシステム情報によって指定され、このシステム情報は不特定多数のＵＥに送信されなければならない情報であるため、リソースの用途が動的に変換する場合にはレガシー（ｌｅｇａｃｙ）ＵＥの動作に問題が生じうる。このため、一般に、このような動的リソース用途変換に関する情報は、システム情報を伝達するシグナリングではなく、現在ｅＮＢに接続を維持しているＵＥに、新しいシグナリング、特に、ＵＥ特定シグナリングを用いて伝達することが好ましい。
【００６３】
上記の新しいシグナリングは、動的に変化したリソースの構成、例えば、ＴＤＤシステムにおいてシステム情報が示したものと異なる上りリンク／下りリンクサブフレーム設定情報を示すこともできる。さらに、上記の新しいシグナリングにはＨＡＲＱと関連した情報が含まれてもよい。特に、スケジューリングメッセージとこれに相応するＰＤＳＣＨ受信時点／ＰＵＳＣＨ送信時点、及びこれに対するＨＡＲＱ−ＡＣＫ送受信時点と定義されるＨＡＲＱタイムラインが動的に変化する場合、ＨＡＲＱタイムラインが連続しない問題を解決するために、安定したＨＡＲＱタイムラインを維持できるＨＡＲＱタイムライン構成情報を含むことができる。ＴＤＤシステムの場合、このＨＡＲＱタイムライン構成情報は、下りリンクＨＡＲＱ及び／又は上りリンクＨＡＲＱタイムラインを定義する時に参照する上りリンク／下りリンクサブフレーム設定と定義することもできる。
【００６４】
リソース用途が動的に変化するシステムに接続したＵＥは、リソース構成に関する様々な情報を受信する。特に、ＴＤＤシステムの場合、一つのＵＥは特定時点で下記の１）乃至４）の情報を取得することができる。
【００６５】
１）上りリンク／下りリンクサブフレーム設定シグナリング１：システム情報が示す上りリンク／下りリンクサブフレーム設定
【００６６】
２）上りリンク／下りリンクサブフレーム設定シグナリング２：別のシグナリングを用いて各サブフレームの用途を示す目的で伝達された上りリンク／下りリンクサブフレーム設定
【００６７】
３）上りリンク／下りリンクサブフレーム設定シグナリング３：下りリンクＨＡＲＱタイムライン、すなわち、特定時点で受信したＰＤＳＣＨに対するＨＡＲＱ−ＡＣＫをいつ送信するかを定義するために伝達された上りリンク／下りリンクサブフレーム設定
【００６８】
４）上りリンク／下りリンクサブフレーム設定シグナリング４：上りリンクＨＡＲＱタイムライン、すなわち、特定時点で受信した上りリンクグラントに対するＰＵＳＣＨをいつ送信するか、そして特定時点で送信したＰＵＳＣＨに対するＰＨＩＣＨをいつ受信するかを定義するために伝達された上りリンク／下りリンクサブフレーム設定
【００６９】
特定ＵＥが動的にリソース用途を変化するｅＮＢに接続する場合、当該ｅＮＢは、システム情報を用いて、上りリンクサブフレームの個数が最大である上りリンク／下りリンクサブフレーム設定を指定するように動作するのが一般的である。これは、システム情報上で下りリンクサブフレームとして設定されたサブフレームを上りリンクサブフレームとして動的に変化することには制約がありうるためである。
【００７０】
このような制約の一例として、動的リソース用途変化を認識できないレガシーＵＥは、システム情報によって下りリンクサブフレームと規定されたサブフレームで常にＣＲＳ（Ｃｅｌｌ−ｓｐｅｃｉｆｉｃ  Ｒｅｆｅｒｅｎｃｅ  Ｓｉｇｎａｌ）の送信を期待して測定しているため、下りリンクサブフレームを動的に上りリンクサブフレームに変換する場合、レガシーＵＥのＣＲＳ測定に大きな誤りが生じうる。このため、ｅＮＢは、システム情報上では上りリンクサブフレームの個数を最大限に設定し、下りリンクトラフィックが増加する場合に上りリンクサブフレームの一部を下りリンクサブフレームへと動的に変化して運営することが好ましい。
【００７１】
このような場合、ＵＥには、特定時点にシステム情報では上りリンク／下りリンクサブフレーム設定＃０が指示されるが、実際に各サブフレームにおけるリソース用途は上りリンク／下りリンクサブフレーム設定＃１となるように指示されてもよい。さらに、下りリンクＨＡＲＱタイムラインの基準としては上りリンク／下りリンクサブフレーム設定＃２が指示されてもよい。具体的に、上りリンクサブフレームの個数が少なく、下りリンクサブフレームの個数が多い上りリンク／下りリンクサブフレーム設定を、下りリンクＨＡＲＱタイムラインの基準として設定すると、下りリンクサブフレームが最大となってＨＡＲＱ−ＡＣＫの送信機会が一部のサブフレームに集中する状況を作ることとなる。これに合わせて下りリンクＨＡＲＱタイムラインを運営すると、動的に上りリンク／下りリンクサブフレーム設定を変換しても、ＨＡＲＱタイムラインを持続することができる。同様に、上りリンクＨＡＲＱタイムラインの基準は、上りリンク／下りリンクサブフレーム設定＃０のように上りリンクサブフレームの個数が最大である上りリンク／下りリンクサブフレーム設定としてもよい。
【００７２】
特に、上述したとおり、レガシーＵＥの測定誤りのため、システム情報上の下りリンクサブフレームを上りリンクサブフレームに変更できないとすれば、これは、システム情報上の上りリンク／下りリンクサブフレーム設定が与えられた状況で上りリンクサブフレームの個数が最大となる設定と見なすことができ、よって、システム情報上の上りリンク／下りリンクサブフレーム設定（シグナリング１）と上りリンクＨＡＲＱタイムラインの基準となるサブフレーム設定（シグナリング４）とを常に同一のものと見なすこともできる。
【００７３】
上述したとおり、各ＵＥは特定時点で様々なリソースの用途に対するシグナリングを受信することができ、各シグナリングによると、特定サブフレームの名目上の用途が異なってくる。このため、ＵＥが特定サブフレームの用途によって異なる動作を行うとき、当該サブフレームの用途を設定する基準が明確に規定されなければならない。
【００７４】
特に、ランダムアクセス手順（ｒａｎｄｏｍ  ａｃｃｅｓｓ  ｐｒｏｃｅｄｕｒｅ）において、ＵＥは、サブフレーム＃ｎで自身に有効なＲＡ−ＲＮＴＩと連動したＰＤＣＣＨ及びＤＬ−ＳＣＨ（これを、ランダムアクセス応答メッセージ（ｒａｎｄｏｍ  ａｃｃｅｓｓ  ｒｅｓｐｏｎｓｅ  ｍｅｓｓａｇｅ）と呼ぶ。）を受信した場合に、サブフレーム＃ｎ＋６、或いはその次に最初に有効な上りリンクサブフレーム（上りリンクディレーフィールド（ＵＬ  ｄｅｌａｙ  ｆｉｅｌｄ）が０のとき）、或いはその次の有効な上りリンクサブフレーム（上りリンクディレーフィールドが１のとき）で、相応するＵＬ−ＳＣＨを送信するように規定されている。これは、ＵＥがいかなる基準で上りリンクサブフレームの有効性を決定するかによって、ＵＬ−ＳＣＨの送信時点が異なるように設定されてもよいことを意味する。以下では、本発明で提案するランダムアクセス手順において上りリンクサブフレームの有効性を判断するＡ）乃至Ｄ）の方式を詳しく説明する。
【００７５】
方式Ａ）システム情報上の上りリンク／下りリンクサブフレーム設定に従う
【００７６】
方式Ａ）では、システム情報上で設定されたサブフレームの用途に従って、ランダムアクセス手順を行う時に上りリンクサブフレームの有効性を決定する。システム情報は、レガシーＵＥを含めて当該ｅＮＢに接続した全てのＵＥが同一情報を受信し、それに基づいて動作する情報であるから、この方式は全てのＵＥが同一手順を行えるようにするという長所がある。すなわち、同一時点で送信が指示されたランダムアクセス手順のうちのＵＬ−ＳＣＨ送信は、上りリンクディレーフィールドが同一であれば、同一時点で送信される。
【００７７】
図７は、本発明の実施例によってランダムアクセス手順を行う一例を示す図である。特に、図７は、システム情報上で上りリンク／下りリンクサブフレーム設定＃０が用いられ（すなわち、上りリンク／下りリンクサブフレーム設定シグナリング１によって上りリンク／下りリンクサブフレーム設定＃０が指示され）、実際の信号送受信のためには上りリンク／下りリンクサブフレーム設定＃２が用いられる場合（すなわち、上りリンク／下りリンクサブフレーム設定シグナリング２によって上りリンク／下りリンクサブフレーム設定＃２が指示された場合）を仮定し、また、上りリンクディレーフィールドは１と仮定した。
【００７８】
図７を参照すると、当該ＵＥのＲＡ−ＲＮＴＩ及びこれと関連したＤＬ−ＳＣＨが無線フレーム＃ｍのサブフレーム＃１で送信されると、システム情報上の上りリンク／下りリンクサブフレーム設定である上りリンク／下りリンクサブフレーム設定＃０に従えば、サブフレーム＃ｎ＋６に該当するサブフレーム＃７が有効な上りリンクサブフレームであり、その次のサブフレームも有効な上りリンクサブフレームであるから、同一フレームのサブフレーム＃８がＵＬ−ＳＣＨ送信時点となる。しかし、これは、実際サブフレーム用途と指定された上りリンク／下りリンクサブフレーム設定＃２に従う場合と異なる。すなわち、上りリンク／下りリンクサブフレーム設定＃２に従えば、サブフレーム＃８が下りリンクサブフレームであるから、その次に近い無線フレーム＃ｍ＋１のサブフレーム＃２がＵＬ−ＳＣＨの送信時点となる。
【００７９】
このように、システム情報ベースの上りリンク／下りリンクサブフレーム設定に従うと、ＵＬ−ＳＣＨを送信する時点が実際用途では下りリンクサブフレームと指定される場合が発生しうる。
【００８０】
このとき、ＵＥは、ｉ）自身がＲＡ−ＲＮＴＩでマスクされたＰＤＣＣＨと相応するＤＬ−ＳＣＨを誤検出したと判断し、ＵＬ−ＳＣＨ送信を行わないか、ii）自身が実際サブフレーム用途に対するシグナリングを誤受信したか又は新しいシグナリングを未受信したと判断し、システム情報ベースの上りリンク／下りリンクサブフレーム設定に従って設定された送信時点でＵＬ−ＳＣＨを送信することができる。いずれの場合においてもＵＥは、自身に指示された送受信動作と実際サブフレーム用途間に不一致があるという事実を、すなわち、実際用途上では下りリンクサブフレームであるが、上りリンク送信が指示されたという事実を、ＲＲＣ層シグナリングやＭＡＣ層シグナリングを用いてｅＮＢに知らせることができる。
【００８１】
方式Ｂ）実際サブフレーム用途を指定するシグナリング上の設定に従う
【００８２】
方式Ｂ）では、実際サブフレーム用途を指定するシグナリング上のサブフレームの用途に従って、ランダムアクセス手順を行う時に上りリンクサブフレームの有効性を決定する。図７を再び参照すると、実際サブフレーム用途と指示された上りリンク／下りリンクサブフレーム設定＃２に従って、無線フレーム＃ｍ＋１のサブフレーム＃２で、相応するＵＬ−ＳＣＨを送信する。この方式は、たとえ実際サブフレーム用途を指定するシグナリングを受信したＵＥにのみ共通に適用できるという短所はあるが、実際使用するサブフレームの用途従ってＵＬ−ＳＣＨを行うことができるという長所がある。
【００８３】
例えば、図７で、シグナリング上に誤りがなく、システム情報に基づいて動作し、実際サブフレーム用途として上りリンク／下りリンクサブフレーム設定＃２が用いられる場合、方式Ａ）によってサブフレーム＃１でＵＬ−ＳＣＨスケジューリングメッセージを送信すると、サブフレーム＃８でＵＬ−ＳＣＨを送信しなければならない。しかし、実際サブフレーム用途である上りリンク／下りリンクサブフレーム設定＃２に従うと、サブフレーム＃８が下りリンク用途と指定されているため、結局、サブフレーム＃１でＵＬ−ＳＣＨをスケジュールするスケジューリングメッセージを送信することが不可能になる。この場合、方式Ｂ）のように、実際サブフレーム用途に従うと、このような制約を避けることができ、任意の下りリンクサブフレーム及び特別サブフレームでのスケジューリングが可能となる。これは、システム情報上の上りリンク／下りリンクサブフレーム設定に従う場合に発生しうる、ＵＬ−ＳＣＨを送信するサブフレーム＃８が実際上りリンク／下りリンクサブフレーム設定上では下りリンクサブフレームになるＵＥ動作における矛盾を解消するためである。
【００８４】
ただし、方式Ｂ）による場合、無線フレームを越す過程でサブフレーム用途指示信号の受信に失敗する可能性がある。このような可能性を排除するために、ＵＥは、ランダムアクセス応答メッセージを、サブフレーム用途指示信号が変更されない時間区間でのみ有効なものと見なすように動作することもできる。例えば、ＵＥは、時点１で受信したランダムアクセス応答メッセージが時点２におけるＵＬ−ＳＣＨ送信を指示する場合に、時点１と時点２との間にはサブフレーム用途変更指示子が送信される場合がないと仮定することができる。これは、常に、時点１と時点２が一つのサブフレーム用途変更指示子の有効時間区間に属すると解釈されてもよい。又は、時点１と時点２との間にサブフレーム用途変更指示子が新しく送信される場合には、当該新しい用途変更指示子が常に、以前のサブフレーム用途変更指示子と同一のサブフレーム用途を指示すると解釈されてもよい。
【００８５】
勿論、ＵＥが、両時点の間に、互いに異なるサブフレーム用途を指示するサブフレーム用途変更指示子を受信すると、この変更指示子を受信誤りと見なし、及び／又は関連したＵＬ−ＳＣＨ送信を省くようにする動作を追加することができる。
【００８６】
方式Ｃ）下りリンクＨＡＲＱタイムラインのためのシグナリング上の設定に従う
【００８７】
方式Ｃ）では、下りリンクＨＡＲＱタイムラインを設定するためにｅＮＢが指定した上りリンク／下りリンクサブフレーム設定上のサブフレームの用途に従って、ランダムアクセス手順を行う時に上りリンクサブフレームの有効性を決定する。下りリンクＨＡＲＱタイムラインと指定された上りリンク／下りリンクサブフレーム設定は、有効な上りリンクサブフレームが最小となる場合に備えたものであるから、ランダムアクセス手順のためのスケジューリングメッセージを送信する制約がなくなるという長所がある。しかも、このようなＨＡＲＱタイムラインは、実際サブフレーム用途に比べて静的（ｐｅｒｓｉｓｔｅｎｔ）に設定されるため、サブフレーム用途を指示するシグナリングの受信に誤りが発生する状況でも、安定してランダムアクセスを行うことができるという長所がある。
【００８８】
図８は、本発明の実施例によってランダムアクセス手順を行う他の例を示す図である。特に、図８は、実際サブフレーム用途としては上りリンク／下りリンクサブフレーム設定＃１が、下りリンクＨＡＲＱタイムラインの基準としては上りリンク／下りリンクサブフレーム設定＃２が用いられた場合を仮定する。
【００８９】
図８を参照すると、実際サブフレーム用途とは無関係に、下りリンクＨＡＲＱのために設定された上りリンク／下りリンクサブフレーム設定＃２に従って、無線フレーム＃ｍのサブフレーム＃１で受信されたランダムアクセススケジューリング（上りリンクディレーフィールドを１と仮定）に対するＵＬ−ＳＣＨ送信を、無線フレーム＃ｍ＋１のサブフレーム＃２で行う。
【００９０】
方式Ｄ）上りリンクＨＡＲＱタイムラインのためのシグナリング上の設定に従う
【００９１】
方式Ｄ）では、上りリンクＨＡＲＱタイムラインを設定するためにｅＮＢが指定した上りリンク／下りリンクサブフレーム設定上のサブフレームの用途に従って、ランダムアクセス手順を行う時に上りリンクサブフレームの有効性を決定する。特に、方式Ｄ）は、ランダムアクセス上のＵＬ−ＳＣＨを、一般的なＰＵＳＣＨと同じＨＡＲＱタイムライン基準の上りリンク／下りリンクサブフレーム設定を考慮してスケジュールすることができ、スケジューラの具現が単純化できるという長所がある。
【００９２】
以上の方式は、ＦＤＤに基づくシステムにも適用可能であることはいうまでもない。ＦＤＤシステムの場合、既存のシステムでは、上りリンクバンドではＵＥの上りリンク送信しかなかったが、動的にリソース用途を変化する技術が導入されると、上りリンクバンドの一部のサブフレームもｅＮＢの下りリンク送信に活用することができる。この場合、上りリンクバンドのサブフレームが、ＴＤＤと同様に、上りリンクサブフレームと下りリンクサブフレームとに区別され、この区別のために、各種のシグナリング、例えば、実際の各サブフレームの用途は何か、下りリンクＨＡＲＱ又は上りリンクＨＡＲＱのためにタイムラインの基準となる上りリンク／下りリンクサブフレーム設定は何かを示すシグナリングを定義することができる。この場合、レガシーＵＥは上りリンクバンドの全てのサブフレームを上りリンクサブフレームと見なすはずであるため、システム情報上の上りリンク／下りリンクサブフレーム設定は、全てのサブフレームが上りリンクサブフレームである上りリンク／下りリンクサブフレーム設定と設定することができる。
【００９３】
また、上述した実施例で提案したシグナリング方式は、ランダムアクセス手順以外の場合にも有用に活用することができる。例えば、ＵＥが自身に指示された送受信動作と実際サブフレーム用途間に不一致があるという事実を、ＲＲＣ層信号やＭＡＣ層信号を用いてｅＮＢに知らせるシグナリング及びそれによる動作の場合には、ランダムアクセス手順以外の動作においてもこのような不一致を発見したときに活用することができる。具体的には、ＵＥが実際サブフレーム用途上では下りリンクサブフレーム（或いは、上りリンクサブフレーム）として把握しているサブフレームに対して、ｅＮＢがＰＵＳＣＨ送信（或いは、ＰＤＳＣＨ送信）をスケジュールする場合、ＵＥは、ｅＮＢ指示上の不一致を発見し、それをｅＮＢに報告することができる。
【００９４】
図９には、本発明の実施例によって上りリンク送信を行う例を示す。特に、図９は、実際サブフレーム用途としては上りリンク／下りリンクサブフレーム設定＃２が用いられ、上りリンクＨＡＲＱタイムラインは上りリンク／下りリンクサブフレーム設定＃１に従うと設定された場合を仮定する。
【００９５】
図９を参照すると、ＵＥがサブフレーム＃４とサブフレーム＃９で上りリンクグラントを検出すると、上りリンク／下りリンクサブフレーム設定＃１の上りリンクＨＡＲＱタイムラインに従って、それぞれサブフレーム＃８とサブフレーム＃３でＰＵＳＣＨ送信を試みる。このように試みられるＰＵＳＣＨ送信は、下りリンクサブフレームとして設定された実際該当のサブフレームにおける用途と一致せず、ＵＥはｅＮＢ指示間の不一致を発見することになる。
【００９６】
一方、トリガリング（ｔｒｉｇｇｅｒｉｎｇ）時点から一定時間離れたサブフレームから始まって、あらかじめ定められた条件を最初に満たす特定サブフレームでＵＥが送信を開始する非周期的（ａｐｅｒｉｏｄｉｃ）ＳＲＳの送信においても、非周期的ＳＲＳ送信時点を決定する際に用いられる条件がどの上りリンク／下りリンクサブフレーム設定上における上りリンクサブフレームに該当するかが決定されなければならない。この場合も、ｅＮＢからの上りリンク信号送信指示から一定の時点が経過した時点にあらかじめ定められた条件を満たすサブフレームでＵＥが該当の信号を送信するという点で、上述したランダムアクセス手順と共通している。
【００９７】
したがって、このような非周期的ＳＲＳの動作においても、上述した上りリンク／下りリンクサブフレーム設定シグナリング１乃至４の４つの上りリンク／下りリンクサブフレーム設定のうち適切な一つの上りリンク／下りリンクサブフレーム設定を基準に、当該基準上りリンク／下りリンクサブフレーム設定上で上りリンクサブフレームであるサブフレームに対してのみＳＲＳの送信時点を決定するように動作することができる。すなわち、あらかじめ定められた条件を最初に満たす特定サブフレームを、あらかじめ決定された上りリンク／下りリンクサブフレーム設定上で上りリンクサブフレームであるとともに特定条件を満たす最初のサブフレームとなるように定義することができる。
【００９８】
一方、上りリンク／下りリンクサブフレーム設定＃０を上りリンクＨＡＲＱタイムラインの基準とする場合、特別な上りリンクインデックスの設定からも上述したサブフレーム用途の不一致が発見できる。一例として、ＵＥがサブフレーム＃６で上りリンクグラントを検出し、当該上りリンクグラントの上りリンクインデックス設定がサブフレーム＃３におけるＰＵＳＣＨ送信を指示しているが、実際サブフレーム用途として、当該サブフレーム＃３が下りリンクサブフレームと設定された上りリンク／下りリンクサブフレーム設定＃２が指示されているいと、両シグナリング間に不一致が発見できる。
【００９９】
以下では、ＵＥがサブフレームの用途指定に関連したｅＮＢ指示上の不一致を発見し、これを処理する方法について説明する。
【０１００】
ＵＥは、実際用途が下りリンクサブフレームとして指定されたサブフレーム上でのＰＵＳＣＨ送信を指示する上りリンクグラントを検出した場合、上記サブフレームの用途指定に関連したｅＮＢ指示上の不一致を発見することができる。このような場合の例を図９に示す。
【０１０１】
ＵＥは、一致しない上りリンクグラントが一定時間にＮ（＝１，２，…）回検出されると、これをｅＮＢシグナリング上の不一致と見なし、ｅＮＢにこの事実を報告する。これは、一定時間にＮ−１回までの一致しない上りリンクグラントの検出は、上りリンクグラントのフォールスアラーム（ｆａｌｓｅ  ａｌａｒｍ）、すなわち、ｅＮＢが送信していない上りリンクグラントを検出する場合に該当すると見なすという意味である。
【０１０２】
上りリンクグラントを送信するサブフレームは常に下りリンクサブフレームであり、ＰＤＳＣＨのスケジューリング情報を取得するためにＵＥは常にＤＣＩフォーマット１Ａの検出を試みるが、同一の長さを有するＤＣＩフォーマット０がこの過程で別のデコーディング過程無しで自動で検出されるため、このような一致しない上りリンクグラントは、ＰＤＳＣＨをスケジュールするＤＣＩフォーマット１Ａと同じ長さを有するＤＣＩフォーマット０に制限することができる。ｅＮＢは、上記の一致しない上りリンクグラントの検出回数Ｎを、ＲＲＣ層のような上位層信号を用いてＵＥに伝達し、いつまでをフォールスアラームと見なし、いつからをシグナリング送信誤りと見なすかを調節することができる。
【０１０３】
また、このような一致しない上りリンクグラントは、ＰＤＣＣＨ又はＥＰＤＣＣＨで送信される上りリンクグラントだけでなく、ＰＨＩＣＨで指示される再送信も含むことができる。すなわち、ＵＥが特定下りリンクサブフレームのＰＨＩＣＨ ＮＡＣＫ信号を検出し、特定サブフレームでのＰＵＳＣＨ再送信を指示された場合、当該サブフレームが実際用途では下りリンクサブフレームとして設定されていると、このＰＨＩＣＨによる指示も、一致しない上りリンクグラントと見なす。
【０１０４】
このように、一致しない上りリンクグラントに対して、ＵＥはこのような上りリンクグラントを自身のフォールスアラームと見なし、それによるＰＵＳＣＨ送信過程は省略するように動作することができる。この動作は、Ｎ−１回の不一致上りリンクグラントが検出されるまで適用することができる。或いは、自身が新しい実際用途指示シグナリングを受信していないことから生じる不一致と見なし、上りリンクグラントに従ってＰＵＳＣＨ送信を行うように動作することもできる。ｅＮＢは、両動作のうちいずれを取るかをＲＲＣのような上位層信号を用いて指示することができる。特殊な場合として、上りリンクＨＡＲＱタイムラインとして上りリンク／下りリンクサブフレーム設定＃０を用いる場合には、一つの上りリンクグラントで２つのサブフレームでのＰＵＳＣＨ送信が同時に指示されてもよく、この場合、特定サブフレームは、実際用途が上りリンクサブフレームであるが、他のサブフレームは、実際用途が下りリンクサブフレームに設定されていてもよい。このような状況で、上りリンクグラント検出とサブフレーム用途シグナリング間の優先順位によって、下記の動作１乃至動作３を行うことができる。
【０１０５】
動作１：上りリンクグラントに優先順位をおき、両サブフレームでＰＵＳＣＨを全て送信する。
【０１０６】
動作２：サブフレーム用途シグナリングに優先順位をおき、いずれのサブフレームでもＰＵＳＣＨを送信しない。すなわち、当該上りリンクグラント自体をフォールスアラームと見なす。
【０１０７】
動作３：上りリンクサブフレームと設定されたサブフレームではＰＵＳＣＨを送信するが、下りリンクサブフレームと設定されたサブフレームではＰＵＳＣＨを送信しない。これは動作１及び動作２の組合せであり、端末が実際サブフレーム用途シグナリングを逃し、近隣のＰＤＳＣＨを受信する端末に強い干渉を及ぼす場合を防止しながらも、上りリンクサブフレームが確実なサブフレームに対しては持続してＨＡＲＱ動作を行うことができる。
【０１０８】
一方、一致しないｅＮＢ指示を発見した場合、ＵＥは、現在ｅＮＢが運営している上りリンク／下りリンクサブフレーム設定が、自身の理解している設定と異なると判断し、動作の安全性のために、最も保守的な上りリンク／下りリンクサブフレーム設定に従って関連動作を行うことができる。ここで、最も保守的な上りリンク／下りリンクサブフレーム設定とは、ｅＮＢが指定可能な全ての上りリンク／下りリンクサブフレーム設定において共通する動作のみを含む上りリンク／下りリンクサブフレーム設定を意味する。
【０１０９】
上述した動作３の場合のように、ｅＮＢが上りリンクグラントを送信したが、ＵＥの把握からは当該ＰＵＳＣＨが下りリンクサブフレームで送信されなければならないという不一致が発生した場合、当該上りリンクグラントをフォールスアラームと見なしてＰＵＳＣＨを送信しない動作は、ｅＮＢが指示した上りリンク／下りリンクサブフレーム設定とＵＥが把握している上りリンク／下りリンクサブフレーム設定の両方において共通にＰＵＳＣＨ送信が可能な場合にのみ関連動作を行うという点で、ｅＮＢ指示とＵＥ把握のそれぞれによる２つの上りリンク／下りリンクサブフレーム設定上で最も保守的な上りリンク／下りリンクサブフレーム設定、すなわち、両上りリンク／下りリンクサブフレーム設定上でＰＵＳＣＨと関連して共通の部分のみを含む上りリンク／下りリンクサブフレーム設定を選定し、それに基づいて動作することと解釈することができる。
【０１１０】
これをより一般化すると、ＰＵＳＣＨ送信の場合、最も保守的な上りリンク／下りリンクサブフレーム設定は、ｅＮＢが使用できる上りリンク／下りリンクサブフレーム設定のうち全ての上りリンク／下りリンクサブフレーム設定において上りリンクサブフレームと設定されたサブフレームのみを上りリンクサブフレームとして有する上りリンク／下りリンクサブフレーム設定とすることができる。この設定は、下りリンクＨＡＲＱタイムラインを定義するために決定された上りリンク／下りリンクサブフレーム設定とすることができる。或いは、表１の上りリンク／下りリンクサブフレーム設定のうち、最も少ない上りリンクサブフレームを有する上りリンク／下りリンクサブフレーム設定である上りリンク／下りリンクサブフレーム設定＃５として固定することもできる。又は、ｅＮＢが下りリンク−上りリンクスイッチング周期は変更しないと仮定できると、同一の下りリンク−上りリンクスイッチング周期上で最少の上りリンクサブフレームを有する上りリンク／下りリンクサブフレーム設定（例えば、下りリンク−上りリンクスイッチング周期が５ｍｓの場合は上りリンク／下りリンクサブフレーム設定＃２、下りリンク−上りリンクスイッチング周期が１０ｍｓの場合は上りリンク／下りリンクサブフレーム設定＃５）と決定することもできる。或いは、別のシグナリングを用いて最も保守的な上りリンク／下りリンクサブフレーム設定を指定することもできる。
【０１１１】
このようにＰＵＳＣＨ送信において最も保守的な上りリンク／下りリンクサブフレーム設定を決定すると、ＵＥは、ｅＮＢ指示に不一致を発見した場合、最も保守的な上りリンク／下りリンクサブフレーム設定上でも、ＰＵＳＣＨ送信が可能なサブフレームに対する上りリンクグラントは有効なものと見なし、ＰＵＳＣＨを送信することが好ましい。しかし、ＵＥが検出した上りリンクグラントが、最も保守的な上りリンク／下りリンクサブフレーム設定上では下りリンクサブフレームと規定されたサブフレームでのＰＵＳＣＨ送信を指示する場合には、これをフォールスアラームと見なし、ＰＵＳＣＨを送信しないことが好ましい。
【０１１２】
或いは、上述した最も保守的な上りリンク／下りリンクサブフレーム設定を決定する過程を省略するために、ＰＵＳＣＨ送信の観点で、最も保守的な上りリンク／下りリンクサブフレーム設定を、全てのサブフレームが下りリンクサブフレームである上りリンク／下りリンクサブフレーム設定と規定することもできる。これは、ｅＮＢ指示に不一致が発見されると、ＵＥが全てのＰＵＳＣＨ送信を省略するということを意味する。
【０１１３】
同様の原理を、ＰＤＳＣＨの受信及び関連したＨＡＲＱ−ＡＣＫ送信にも適用することもできる。ＵＥは、ｅＮＢの指示が一致しないことを発見した場合（例えば、上りリンクサブフレームと用途指示されたサブフレームでのＰＤＳＣＨをスケジュールするメッセージを受信した場合）、ＰＤＳＣＨ観点で最も保守的な上りリンク／下りリンクサブフレーム設定を選定する。その後、選ばれた上りリンク／下りリンクサブフレーム設定においてＰＤＳＣＨ送信が可能なサブフレームであると、有効なものと見なし、ＰＤＳＣＨ受信及び関連したＨＡＲＱ−ＡＣＫを送信する。一方、選ばれた上りリンク／下りリンクサブフレーム設定上において上りリンクサブフレームと規定されていると、当該サブフレームに対するＰＤＳＣＨスケジューリングをフォールスアラームと見なし、ＰＤＳＣＨ受信を試みず、すなわち、ＰＤＳＣＨを受信してその結果をバッファーに記憶せず、また、関連したＨＡＲＱ−ＡＣＫも送信しない。言い換えると、ＨＡＲＱ−ＡＣＫをＤＴＸと処理する。
【０１１４】
ＰＤＳＣＨ観点で最も保守的な上りリンク／下りリンクサブフレーム設定は、ｅＮＢが使用できる上りリンク／下りリンクサブフレーム設定のうち、全ての上りリンク／下りリンクサブフレーム設定において下りリンクサブフレーム（或いは、特別サブフレーム）と設定されたサブフレームのみを下りリンクサブフレームとして有する上りリンク／下りリンクサブフレーム設定とすることができる。これは、上りリンクＨＡＲＱタイムラインを定義するために決定された上りリンク／下りリンクサブフレーム設定を選定することができるという意味である。
【０１１５】
或いは、表１の上りリンク／下りリンクサブフレーム設定のうち、最も少ない下りリンクサブフレームを有する上りリンク／下りリンクサブフレーム設定である上りリンク／下りリンクサブフレーム設定＃０として固定することもできる。この場合、ｅＮＢが下りリンク−上りリンクスイッチング周期は変更しないと仮定できると、同一の下りリンク−上りリンクスイッチング周期上で最小の下りリンクサブフレームを有する上りリンク／下りリンクサブフレーム設定である上りリンク／下りリンクサブフレーム設定（下りリンク−上りリンクスイッチング周期が５ｍｓの場合は上りリンク／下りリンクサブフレーム設定＃０、下りリンク−上りリンクスイッチング周期が１０ｍｓの場合は上りリンク／下りリンクサブフレーム設定＃３）と決定することもできる。
【０１１６】
或いは、最も保守的な上りリンク／下りリンクサブフレーム設定を決定する過程を省略するために、ＰＤＳＣＨ送信の観点で、最も保守的な上りリンク／下りリンクサブフレーム設定は、全てのサブフレームが上りリンクサブフレームである上りリンク／下りリンクサブフレーム設定と規定することもできる。これは、ｅＮＢ指示に不一致が発見される場合には、ＵＥは一切のＰＤＳＣＨ受信を省略し、それに対するＨＡＲＱ−ＡＣＫ送信も省略するということを意味する。
【０１１７】
ＵＥは、実際用途が下りリンクサブフレームとして指定されたサブフレーム上での上りリンク送信を指示する上位層信号を受信した場合、上記の不一致を発見することができる。このような上りリンク送信としては、周期的ＣＳＩ報告、周期的ＳＲＳ送信、周期的に反復されるＳＲ送信リソース割り当てを挙げることができる。非周期的ＳＲＳ送信であっても、１回の非周期的ＳＲＳ送信トリガリングメッセージによって複数回のＳＲＳ送信が指示される場合には、同様に、当該ＳＲＳ送信が起きる時点が、実際用途が下りリンクサブフレームとして指定されたサブフレームである場合に、上記の不一致を発見し、報告することができる。
【０１１８】
この場合にも、不一致の上りリンク送信指示をシグナリング送信誤りと見なし、送信を省略することもできる。この方法は、ｅＮＢが計画しない干渉信号を防止できるという側面で、保守的であるが、より安全な方法と見なすことができる。逆に、実際用途指示のためのシグナリングが誤りであると見なし、上りリンク送信指示に従うように動作することもできる。特に、実際用途指示シグナリングがＭＡＣ層シグナリングや物理層シグナリングで伝達されるのに対し、上りリンク送信指示は、より上位層信号であるＲＲＣ層シグナリングで伝達される場合には、より信頼性の高い上りリンク送信指示を優先として上りリンク送信を行うように動作することがより有利であろう。
【０１１９】
各サブフレームの用途を知らせるシグナリングの有効期間が設定された場合に、ＵＥが受信したシグナリングの有効期間が満了したが、新しいシグナリングを成功裏に受信していないとき、ＵＥは上述の不一致を発見することができる。
【０１２０】
図１０は、本発明の実施例によってＵＥがサブフレーム用途の不一致を発見する例を示す図である。
【０１２１】
図１０を参照すると、各サブフレームの用途を知らせるシグナリングが周期的に送信される場合に、特定時点に送信されたシグナリングが当該シグナリングの１送信周期の間に有効であると見なすことができる。この場合、ＵＥが、次の周期で該当のシグナリングの受信に失敗すると、次の周期で用いられるサブフレームの用途が把握できなくなる。
【０１２２】
或いは、サブフレームの用途指示シグナリングが非周期的に送信される場合にも、一度送信されたシグナリングが一定期間には有効であるという有効期間が設定されてもよいが、当該有効期間が満了した時点でも新しいシグナリングを受信していないと、ＵＥは、満了後に用いられるサブフレームの用途が把握できなくなる。
【０１２３】
このような場合に、ＵＥは自動的にｅＮＢの指示に不一致が発生すると見なし、上述の方式を適用して不一致による問題を緩和することができる。特に、この状況では、ｅＮＢがいずれのサブフレーム用途を適用するかを把握する根拠がなく、よって、上述した最も保守的な上りリンク／下りリンクサブフレーム設定に従ってＰＤＳＣＨ受信やＰＵＳＣＨ送信関連動作を行う方法を採択することが好ましい。
【０１２４】
特に、図１０では、毎無線フレームのサブフレーム＃０で当該無線フレームのサブフレーム用途を示すシグナリングが送信されるが、ＵＥが無線フレーム＃ｍ＋２に対するサブフレーム用途指示シグナリングの受信に失敗した場合を示している。この場合、ＵＥは、無線フレーム＃ｍ＋２で適用可能な最も保守的な上りリンク／下りリンクサブフレーム設定を選定する。特に、図１０では、ＰＵＳＣＨ送信と関連して最も保守的な上りリンク／下りリンクサブフレーム設定として上りリンク／下りリンクサブフレーム設定＃２が選ばれたと仮定する。
【０１２５】
この状況で、ＵＥがサブフレーム＃５で上りリンクグラントを受信し、この上りリンクグラントがサブフレーム＃９でのＰＵＳＣＨ送信を指示するとすれば（ただし、上りリンク／下りリンクサブフレーム設定＃０の上りリンクＨＡＲＱタイムラインに従うと仮定）、ＵＥは、ＰＵＳＣＨ送信と関連して選ばれた最も保守的な上りリンク／下りリンクサブフレーム設定である上りリンク／下りリンクサブフレーム設定＃２においてサブフレーム＃９は下りリンクサブフレームであるから、この上りリンクグラントをフォールスアラームと見なし、ＰＵＳＣＨ送信を行わない。特に、上りリンクグラントは実際ＰＵＳＣＨ送信時点より所定のサブフレーム以前に送信されるため、上りリンクグラント送信とこれに対応するＰＵＳＣＨ送信は互いに異なる無線フレームでなされてもよく、両送信の間でＵＬ−ＤＬ上りリンク／下りリンクサブフレーム設定が変化することがある。
【０１２６】
特に、無線フレーム＃ｍで上りリンクグラントを受信し、これに基づくＰＵＳＣＨを無線フレーム＃ｍ＋１で送信する場合にも、上述したサブフレーム用途指示受信失敗の場合に対する動作を適用することができる。すなわち、上りリンクＨＡＲＱ動作の持続性のために、上りリンクグラントは、下りリンク観点で最も保守的な上りリンク／下りリンクサブフレーム設定上でも下りリンクサブフレームであるサブフレームでのみ送信されると仮定すると、無線フレーム＃ｍ＋１に対するサブフレーム用途指示信号の受信に失敗した場合、無線フレーム＃ｍ＋１でｅＮＢの指示に不一致が発生すると見なし、それに基づく動作を取るように適用することができる。
【０１２７】
一方、ＤＣＩによってトリガーされて一定時点が経過した後に送信される非周期的ＳＲＳの場合、前述した適切な上りリンク／下りリンクサブフレーム設定を基準に、上りリンクサブフレームであるサブフレームのみを定義された条件に適用して送信時点を決定することが好ましい。万一、基準となる上りリンク／下りリンクサブフレーム設定が上記サブフレーム用途指示信号による上りリンク／下りリンクサブフレーム設定になると、非周期的ＳＲＳのトリガリング信号から実際ＳＲＳが送信される時点との間に存在する全ての無線フレームに対してＵＥがサブフレーム用途指示信号を成功裏に受信した場合にのみ、安定してＳＲＳ送信条件を適用することができる。したがって、両時点間の全ての無線フレームに対してＵＥがサブフレーム用途指示信号を成功的に受信した場合にのみＳＲＳを送信するように動作することができる。
【０１２８】
言い換えると、ＵＥに特定無線フレームで非周期的ＳＲＳがトリガされ、該ＵＥがそのＳＲＳ送信時点を一連の条件に従って決定する状況で、１回でもサブフレーム用途指示信号の受信に失敗したり、又はｅＮＢの指示に不一致を発見すると、当該非周期的ＳＲＳの送信条件を正しく適用できないと見なし、隣接ＵＥへの干渉誘発を防止するためにＳＲＳ送信を省略するように動作する。
【０１２９】
或いは、このように無線フレームを越す過程でサブフレーム用途指示信号の受信に失敗する可能性を初めから排除するために、非周期的ＳＲＳトリガリングメッセージを、サブフレーム用途指示信号が変更されない時間区間でのみ有効なものと見なすように動作することもできる。
【０１３０】
一例として、ＵＥは、時点１で受信した非周期的ＳＲＳトリガリングメッセージが時点２でのＳＲＳ送信を指示する場合に、時点１と時点２との間ではサブフレーム用途変更指示子が送信される場合がないと仮定することができる。これは、常に、時点１と時点２とが１回のサブフレーム用途変更指示子の有効時間区間に属すると解釈されてもよい。又は、時点１と時点２との間にサブフレーム用途変更指示子が新しく送信されてもよい場合には、当該新しい用途変更指示子は常に以前のサブフレーム用途変更指示子と同じサブフレーム用途を指示することと解釈されてもよい。このとき、万一、ＵＥは、両時点間に互いに異なるサブフレーム用途を指示するサブフレーム用途変更指示子を受信すると、この変更指示子を誤りと見なしたり及び／又は関連したＳＲＳ送信を省略するように動作することもできる。
【０１３１】
万一、サブフレーム用途の変化量に追加的な制限が発生すると、例えば、１回のシグナリングで用途が変換されるサブフレームの個数はｍ個を超えてはならないという制限が与えられると、当該制限に基づいて最も保守的な上りリンク／下りリンクサブフレーム設定を設定することもできる。一例として、特定時点で上りリンク／下りリンクサブフレーム設定＃３がサブフレーム用途指示として指定されている場合に、当該指示の有効時間が満了したが、ＵＥが新しいシグナリングを受信しておらず、また、１回のシグナリングで既存シグナリングにおいて用途変換されるサブフレームの個数が１個以下でなければならないという制限があると、ＵＥは、新しい上りリンク／下りリンクサブフレーム設定では、下りリンクサブフレームが最大に増えても上りリンク／下りリンクサブフレーム設定＃４しか設定できないということがわかる、すなわち、上りリンク／下りリンクサブフレーム設定＃３を基準に両サブフレームの用途が変更される上りリンク／下りリンクサブフレーム設定＃５はシグナリングできない。この場合には、ＰＵＳＣＨ観点で最も保守的な上りリンク／下りリンクサブフレーム設定として上りリンク／下りリンクサブフレーム設定＃４が設定され、これを基準にＰＵＳＣＨ関連動作を行うことができる。
【０１３２】
また、各サブフレームの用途を知らせるシグナリングの有効期間が設定された場合に、一つのシグナリングを受信してその有効期間が満了する前に他のサブフレームの用途を知らせるシグナリングが受信されると、ＵＥは、両方のいずれか一方が誤りによって受信されたと見なすことができる。さらに、ｅＮＢが指示した上りリンク／下りリンクサブフレーム設定と自身が理解する上りリンク／下りリンクサブフレーム設定とが一致しないという事実も把握できる。この場合も同様、ｅＮＢが指示した上りリンク／下りリンクサブフレーム設定に関する情報が不足するため、上述した最も保守的な上りリンク／下りリンクサブフレーム設定に従う動作を行うことがより安全であるといえる。
【０１３３】
要するに、サブフレーム用途変更のためのシグナリングを周期的に送信することができ、これを逃したときのＵＥは次のように動作することができる。
【０１３４】
まず、下りリンク観点で、ＰＤＣＣＨモニタリングは、システム情報上で指示された上りリンク／下りリンクサブフレーム設定に従うように定義することができる。ＰＤＣＣＨは同一サブフレームのＰＤＳＣＨをスケジュールするので、結局、ＰＤＳＣＨ受信観点で最も保守的な上りリンク／下りリンクサブフレーム設定として、システム情報上で指示された上りリンク／下りリンクサブフレーム設定を選択すると、ＰＤＣＣＨモニタリングも同一のシステム情報上で指示された上りリンク／下りリンクサブフレーム設定に従うようになるためである。また、上りリンク観点で、ＰＵＳＣＨスケジューリングの有効性判断に対する基準は、ＰＤＣＣＨモニタリングと同じ動作を規定するために、システム情報上で指示された上りリンク／下りリンクサブフレーム設定に従うように定義したり、又は、上述したとおり、最も保守的な上りリンク／下りリンクサブフレーム設定を、下りリンクＨＡＲＱのために指示された上りリンク／下りリンクサブフレーム設定として選択し、これに従うように定義することができる。
【０１３５】
上述したｅＮＢ指示の不一致は、搬送波集成技法が適用された状況でも適用可能である。
【０１３６】
例えば、ＵＥが、ｅＮＢのシグナリングによって特定の副セル（ｓｅｃｏｎｄａｒｙ  ｃｅｌｌ）又は副−コンポーネント搬送波の非活性化が指示されたと把握している状況で、他のコンポーネント搬送波を介して当該副−コンポーネント搬送波でのＰＤＳＣＨやＰＵＳＣＨ送信をスケジュールするメッセージを、ＰＤＣＣＨ／ＥＰＤＣＣＨ或いはＲＲＣのような上位層信号で受信する場合を考慮することができる。この場合も同様、このような状況を不一致送信指示と見なし、スケジューリングメッセージを誤りと把握したり、当該コンポーネント搬送波非活性化情報が間違っていると見なしたり、及び／又は不一致指示を受信したという事実をｅＮＢに知らせる信号を送信することができる。ただし、搬送波集成技法が適用された状況では、副−コンポーネント搬送波のサブフレーム用途を知らせるシグナリングを主−コンポーネント搬送波を介して送信することができ、これは、主−コンポーネント搬送波が一般に、安定したシグナリング送信が可能な環境にあるためである。
【０１３７】
交差搬送波スケジューリング状況では、スケジューリングメッセージを送信するコンポーネント搬送波でＵＥが検出したメッセージを把握して不一致指示を発見することができる。ＵＥが主−コンポーネント搬送波（以下、ＰＣｅｌｌ）で特定の副−コンポーネント搬送波（以下、ＳＣｅｌｌ）に対するスケジューリングを行う場合を仮定する。万一、ＵＥが、サブフレーム＃ｎでＰＣｅｌｌからＳＣｅｌｌのサブフレーム＃ｎ＋ｋでのＰＵＳＣＨを指示する上りリンクグラントを受信しており、また、サブフレーム＃ｎ＋ｋがＰＣｅｌｌでは下りリンクサブフレームであると、当該ＵＥはサブフレーム＃ｎ＋ｋでもスケジューリングメッセージの検出を試みるはずである。その結果、サブフレーム＃ｎ＋ｋでＳＣｅｌｌでのＰＤＳＣＨ受信を指示する下りリンク割り当て（ＤＬ  ａｓｓｉｇｎｍｅｎｔ）情報が検出される場合が発生しうる。一般に、ＵＥは同一サブフレームでは下りリンク受信又は上りリンク送信のいずれか一方の動作のみを取らなければならず、よって、このような状況はｅＮＢスケジューリングの不一致であると把握することができる。
【０１３８】
このような不一致を把握すると、ＵＥは、優先順位を与え、ＰＤＳＣＨ受信又はＰＵＳＣＨ送信のいずれかを行うことができる。優先順位は、事前に定義されてもよく、ｅＮＢが事前に設定してもよい。或いは、状況によって優先順位が変わっても良い。例えば、ＰＵＳＣＨに一般データと併せてＣＳＩや上りリンクＨＡＲＱ−ＡＣＫのような制御情報が含まれるとＰＵＳＣＨ送信に優先権をおくが、そうでないとＰＤＳＣＨ受信に優先権をおくように動作することができる。或いは、いずれにも優先権を与えず、下りリンク割り当て及び上りリンクグラントを全て無効化することによって、最大限に安定した動作を維持するように動作することもできる。これは、スケジューリング不一致を発見したＵＥは、下りリンク受信も上りリンク送信も行わないということを意味する。
【０１３９】
上述したとおり、ＵＥが同一サブフレームでのＰＤＳＣＨ受信とＰＵＳＣＨ送信を指示するスケジューリングメッセージを検出する場合は、必ずしも交差搬送波スケジューリングの場合に限定されない。一例として、１回のスケジューリングメッセージによって複数のサブフレームでのＰＤＳＣＨ受信やＰＵＳＣＨ送信が指示される場合には、より最近に受信／送信動作が始まる側に優先権を与えるように動作することができる。他の例として、特定下りリンク割り当てによってＰＤＳＣＨ受信がサブフレーム＃ｎから始まって複数のサブフレームに反復されているとき、上りリンクグラントでサブフレーム＃ｎ＋ｘからＰＵＳＣＨを送信するように指示されたが、サブフレーム＃ｎ＋ｘがＰＤＳＣＨを受信するサブフレームと一致する場合には、最近にスケジューリングメッセージが適用されるように指示されたＰＵＳＣＨ送信が優先権を有することとなり、サブフレーム＃ｎ＋ｘからはＰＵＳＣＨ送信を始めるように動作することができる。ここで、１回のスケジューリングメッセージが複数のサブフレームでのＰＤＳＣＨ受信やＰＵＳＣＨ送信を指示する場合には、半−静的（ｓｅｍｉ−ｐｅｒｓｉｓｔｅｎｔ）スケジューリングを含むことができる。勿論、この場合にも、より保守的に動作するために、下りリンク割り当て及び上りリンクグラントを全て無効化するように動作することもできる。
【０１４０】
勿論、上記の上りリンク送信に対する指示は、ＰＵＳＣＨ送信指示の他、ＰＵＣＣＨ送信指示やＳＲＳ送信指示も含むことができる。また、このような上りリンク送信がＲＲＣのような上位層信号で安定して指示された場合には、ＰＤＣＣＨ／ＥＰＤＣＣＨを介して動的に指示されるＰＤＳＣＨ受信を相対的に不安定なものと見なし、ＰＤＳＣＨ受信を無効化するように動作することもできる、すなわち、上りリンク送信に優先権を与える。同様に、半−静的スケジューリングのように、上位層信号で送信位置が指示されるＰＤＳＣＨを受信するサブフレームにおいて、ＰＤＣＣＨ／ＥＰＤＣＣＨを介して動的に指示されるＰＵＳＣＨ送信がスケジュールされる場合には、動的指示を相対的に不安定なものと見なし、ＰＤＳＣＨを受信するように動作することもできる。この場合にも、より安定して動作するために、下りリンク割り当て及び上りリンクグラントを全て無效化するように動作することもできる。図１１は、本発明の一実施例に係る通信装置のブロック構成図である。
【０１４１】
図１１を参照すると、通信装置１１００は、プロセッサ１１１０、メモリ１１２０、ＲＦモジュール１１３０、ディスプレイモジュール１１４０、及びユーザインターフェースモジュール１１５０を備えている。
【０１４２】
同図の通信装置１１００は説明の便宜のために示されたもので、一部のモジュールは省略されてもよい。また、通信装置１１００は必要なモジュールをさらに備えてもよい。また、通信装置１１００において一部のモジュールはより細分化したモジュールに区分されてもよい。プロセッサ１１１０は、図面を参照して例示した本発明の実施例に係る動作を実行するように構成される。具体的に、プロセッサ１１１０の詳細な動作は、図１乃至図１０に記載された内容を参照すればよい。
【０１４３】
メモリ１１２０は、プロセッサ１１１０に接続し、オペレーティングシステム、アプリケーション、プログラムコード、データなどを格納する。ＲＦモジュール１１３０は、プロセッサ１１１０に接続し、基底帯域信号を無線信号に変換したり、無線信号を基底帯域信号に変換する機能を果たす。そのために、ＲＦモジュール１１３０は、アナログ変換、増幅、フィルタリング及び周波数アップ変換又はこれらの逆過程を行う。ディスプレイモジュール１１４０は、プロセッサ１１１０に接続し、様々な情報をディスプレイする。ディスプレイモジュール１１４０は、特に制限されるものではなく、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素を用いることができる。ユーザインターフェースモジュール１１５０は、プロセッサ１１１０に接続し、キーパッド、タッチスクリーンなどのような周知のユーザインターフェースの組合せで構成可能である。
【０１４４】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０１４５】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現では、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１４６】
ファームウェアやソフトウェアによる具現では、本発明の一実施例は、以上で説明された機能又は動作を実行するモジュール、手順、関数などの形態で具現されてもよい。ソフトウェアコードは、メモリユニットに記憶され、プロセッサによって駆動可能である。メモリユニットは、プロセッサの内部又は外部に設けられ、公知の様々な手段によってプロセッサとデータを交換することができる。
【０１４７】
本発明は、本発明の特徴から逸脱しない範囲で別の特定の形態に具体化できるということが当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の等価的範囲内における変更はいずれも本発明の範囲に含まれる。
【産業上の利用可能性】
【０１４８】
上述したような無線通信システムにおいて無線リソース動的変更に基づく信号送受信方法及びそのための装置は、３ＧＰＰ ＬＴＥシステムに適用される例を中心に説明したが、３ＧＰＰ ＬＴＥシステム以外の様々な無線通信システムにも適用可能である。
【図１】
0006377710.tif 000006
【図２】
0006377710.tif 000007
【図３】
0006377710.tif 000008
【図４】
0006377710.tif 000009
【図５】
0006377710.tif 000010
【図６】
0006377710.tif 000011
【図７】
0006377710.tif 000012
【図８】
0006377710.tif 000013
【図９】
0006377710.tif 000014
【図１０】
0006377710.tif 000015
【図１１】
0006377710.tif 000016